(57)【要約】【課題】ブロードバンド伝送の部分を識別する方法を提供する。【解決手段】タイムスライスエレメンタリーストリームの認識は、PSI/SIテーブル内の２つの記述子の規定によってノンタイムスライスストリームからタイムスライスストリームを分ける方法を提供する。タイムスライス識別記述子は、タイムスライスエレメンタリーストリームの識別に使用され、伝送エレメンタリーストリームについての付加情報を提供するために使用される。本発明は、付加的にノンタイムスライスとタイムスライスとして１つのエレメンタリーストリームを分類する機構を提供する。ＤＶＢネットワーク上を配信されるタイムスライスエレメンタリーストリーム認識方法は、公表され、それらのストリームに関する付加情報を提供する。記述子は少なくともＮＩＴ、ＰＭＴとＩＮＴ内で使用される。タイムスライシングは、ブロードバンド伝送で受信器に省電力化方法を提供する。【選択図】図７
2010093867.tif 000002
【特許請求の範囲】
【請求項１】
受信器における省電力のためのデジタルブロードバンド伝送を受信する方法において、該方法は、
前記デジタルブロードバンド伝送の部分に関する情報を提供するステップであって、該デジタルブロードバンド伝送の部分は、該受信器において該部分を検出するために、該受信器内において該省電力に適合するようになっているステップと、
前記提供情報に基づいて前記部分を検出するステップと、
前記提供情報に基づいて少なくとも前記受信器のオン／オフ部分を切り替えるステップとを備える方法。
【請求項２】
請求項１に記載の方法において、前記検出ステップは、さらに、前記提供情報に基づいて前記デジタルブロードバンド伝送を、前記受信器における省電力のために適する部分と該受信器での省電力のために適さない部分とに分割するステップを備える方法。
【請求項３】
請求項１に記載の方法において、前記部分の少なくとも１つは、タイムスライスエレメンタリーストリームを備え、かつ、前記方法は、さらにブロードバンドネットワーク上を配信される少なくとも１つのタイムスライスエレメンタリーストリームを識別するステップを備える方法。
【請求項４】
請求項１に記載の方法において、前記提供情報は、前記デジタルブロードバンド伝送のバースト内に含まれるサービスセッションのサイズに関する情報を含むものであって、前記方法は、さらに、
前記受信器内の利用可能メモリと前記サイズを比較するステップと、
該比較で得られた結果に基づいて少なくとも該受信器のオン／オフ部分を切り替えるステップとを備える方法。
【請求項５】
請求項１に記載の方法において、前記切り替えステップは、
単一のデータコンセプトに関する前記デジタルブロードバンド伝送の関連するバースト間に前記受信器を機能的に切り替えるステップと、
さもなければ少なくとも部分的に前記受信器を切り替えるステップとを備える方法。
【請求項６】
請求項１に記載の方法において、前記デジタルブロードバンド伝送は、該受信器は同じサービスと関するデジタルブロードバンド伝送の周期的に関連するバースト間の上に機能的にある原則に適合するように少なくとも部分的になっており、および、さもなければ少なくとも部分的にオフである方法。
【請求項７】
請求項１に記載の方法において、前記部分は、前記デジタルブロードバンド伝送の少なくとも１つのエレメンタリーストリーム、および、ＮＩＴテーブルで参照されるトランスポートストリームを備える方法。
【請求項８】
請求項１に記載の方法において、前記デジタルブロードバンド伝送は、少なくとも部分的にタイムスライスデータブロードバンド伝送を備える方法。
【請求項９】
請求項１に記載の方法において、前記情報を提供するステップは、前記デジタルブロードバンド伝送の記述子を伝送するステップを備える方法。
【請求項１０】
請求項９に記載の方法において、前記記述子は、前記デジタルブロードバンド伝送は該デジタルブロードバンド伝送の１つのバースト内に提供するサービスセッション毎の最大ビット数を特定するようになっている方法。
【請求項１１】
請求項１０に記載の方法において、少なくとも１つのエレメンタリーストリーム内に含まれるＩＰデータストリームは、ブロードバンド伝送のタイムスライスに従って伝送される方法。
【請求項１２】
請求項１０に記載の方法において、前記受信器は、前記サービスセッションに従って該受信器のメモリ使用に適するようになっている方法。
【請求項１３】
請求項１に記載の方法において、前記情報を提供するステップは、前記デジタルブロードバンド伝送のサービスセッション毎の該デジタルブロードバンド伝送のバーストサイズを制限するステップを備える方法。
【請求項１４】
請求項１に記載の方法において、前記情報を提供するステップは、最大バースト時間を示すステップを備える方法。
【請求項１５】
請求項１４に記載の方法において、前記省電力は、バーストの残りが紛失する場合でも適用可能である方法。
【請求項１６】
請求項１に記載の方法において、前記情報を提供するステップは、タイムスライスデータブロードバンド伝送のバージョンを示すステップを備える方法。
【請求項１７】
請求項１に記載の方法において、前記情報を提供するステップは、トランスポートストリーム内に含まれるエレメンタリーストリームは前記デジタルブロードバンド伝送のタイムスライスデータブロードバンド伝送に従って伝送されないことを示すステップを備える方法。
【請求項１８】
請求項１６に記載の方法において、前記デジタルブロードバンド伝送のブロードバンドネットワークは、マルチプロトコルカプセル化レベル、および、伝送ストリームレベルを異なるバージョンで同時に動作するようになっている方法。
【請求項１９】
請求項１に記載の方法において、前記情報を提供するステップは、前記受信器に、前記デジタルブロードバンド伝送のバーストの受信タイミングの許容限度を示すステップを備える方法。
【請求項２０】
請求項１に記載の方法において、前記情報は、前記デジタルブロードバンド伝送のＳＩ／ＰＳＩテーブル内に提供される方法。
【請求項２１】
請求項２０に記載の方法において、前記情報は前記デジタルブロードバンド伝送の各トランスポートストリーム毎の情報を与えるＮＩＴテーブル内に提供される方法。
【請求項２２】
請求項２０に記載の方法において、前記情報は、各エレメンタリーストリーム毎の情報を与えるＰＭＴテーブル内に提供される方法。
【請求項２３】
請求項２０に記載の方法において、前記情報は、前記デジタルブロードバンド伝送の少なくとも１つのＩＰ／ＭＡＣストリームを運ぶ各エレメンタリーストリーム毎の情報を与えるＩＮＴテーブル内に提供される方法。
【請求項２４】
請求項２３に記載の方法において、記述子は、前記デジタルブロードバンド伝送のバンド幅を減少するためにＩＮＴテーブル内に含まれる方法。
【請求項２５】
請求項１に記載の方法において、前記デジタルブロードバンド伝送は、マルチキャリア信号伝送を備える方法。
【請求項２６】
請求項１に記載の方法において、前記デジタルブロードバンド伝送は、ＤＶＢ伝送を備える方法。
【請求項２７】
請求項２６に記載の方法において、前記ＤＶＢ伝送は、ＤＶＢ−Ｔ伝送を備える方法。
【請求項２８】
請求項１に記載の方法において、前記デジタルブロードバンド伝送は、ワイヤレスデジタルブロードバンド伝送を備える方法。
【請求項２９】
請求項２８に記載の方法において、前記ワイヤレスデジタル伝送は、モバイルＤＶＢ−Ｔ伝送を備える方法。
【請求項３０】
受信器における省電力のためのデジタルブロードバンド伝送を伝送する方法において、該方法は、
前記デジタルブロードバンド伝送の部分に関する情報を提供するステップであって、前記受信器で識別のため前記部分を分類するために、該部分は該受信器における省電力に適するようになっているステップと、
前記提供情報に従って、少なくとも受信器のオン／オフ部分を切り替えるために該情報に基づいて前記部分を分類するためのステップとを備える方法。
【請求項３１】
請求項３０に記載の方法において、前記分類ステップは、さらに、提供情報に基づいて前記デジタルブロードバンド伝送を、前記受信器における省電力に適する部分および該受信器における省電力に適さない部分に分類するステップを備える方法。
【請求項３２】
請求項３０に記載の方法において、少なくとも１つの前記部分は、タイムスライスエレメンタリーストリームを備え、かつ、前記方法は、さらに、ブロードバンドネットワーク上を配信される少なくとも１つのタイムスライスエレメンタリーストリームを識別するステップを備える方法。
【請求項３３】
請求項３０に記載の方法において、前記デジタルブロードバンド伝送は、異なるサービスに関連する連続したバーストをバーストとして少なくとも部分的に伝送される方法。
【請求項３４】
請求項３０に記載の方法において、前記デジタルブロードバンド伝送は、異なるサービスを規定する連続内の各バーストを連続して起こるバーストとして少なくとも部分的に伝送される方法。
【請求項３５】
請求項３０に記載の方法において、前記部分は前記デジタルブロードバンド伝送のエレメンタリーストリーム、および、ＮＴＴテーブルで参照されるトランスポートストリームの少なくとも１つを伝送する方法。
【請求項３６】
請求項３０に記載の方法において、前記伝送は、少なくとも部分的にタイムスライスデータブロードキャスト伝送を備える方法。
【請求項３７】
請求項１または請求項３０に記載の方法のステップを実行する手段を備えるデータ処理システム。
【請求項３８】
請求項１または請求項３０に記載の方法のステップを実行するように適応されるコンピュータプログラムがコンピュータ上で実行される場合に、当該コンピュータプログラムコード手段を備えるコンピュータプログラム。
【請求項３９】
コンピュータ読取可能媒体上で実施される請求項３８記載のコンピュータプログラム。
【請求項４０】
請求項１または請求項３０に記載の方法を実行するように適応されるコンピュータプログラムがコンピュータ上で実行される場合に、当該コンピュータプログラムコードを備えるコンピュータ読取可能媒体。
【請求項４１】
請求項３８記載のコンピュータ実行可能プログラムを搬送する搬送媒体。
【請求項４２】
受信器における省電力のためのデジタルブロードバンド伝送を提供するシステムにおいて、
前記デジタルブロードバンド伝送の部分に関する情報を提供する手段であって、前記受信器での前記部分を検出するために該部分は該受信器における省電力に適するようになっている手段と、
前記提供手段に基づいて前記部分を検出する手段と、
前記提供情報に基づいて少なくとも前記受信器のオン／オフ部分を切り替える手段とを備えるシステム。
【請求項４３】
請求項４２に記載のシステムにおいて、前記検出手段は、さらに、前記提供情報に基づいて前記デジタルブロードバンド伝送を、前記受信器における省電力に適する部分および該受信器における省電力に適さない部分に分割する手段を備えるシステム。
【請求項４４】
請求項４２に記載のシステムにおいて、前記部分は、前記デジタルブロードバンド伝送のエレメンタリーストリーム、および、ＮＩＴテーブルで参照されるトランスポートストリームの少なくとも１つを備えるシステム。
【請求項４５】
請求項４２に記載のシステムにおいて、前記デジタルブロードバンド伝送は、少なくとも部分的にタイムスライスブロードバンド伝送を備えるシステム。
【請求項４６】
請求項４２に記載のシステムにおいて、前記部分の少なくとも１つは、タイムスライスエレメンタリーストリームを備え、および、前記システムは、さらに、ブロードバンドネットワーク上を配信された少なくとも一つのタイムスライスエレメンタリーストリームを識別する手段を備えるシステム。
【請求項４７】
請求項４２に記載のシステムにおいて、前記提供情報は、前記デジタルブロードバンド伝送の１つのバースト内に含まれるサービスセッションのサイズに関する情報を含み、かつ、前記システムは、さらに、
前記受信器の利用可能メモリと前記サイズを比較する手段と、および、
前記比較で得られた結果に基づいて、少なくとも前記受信器のオン／オフ部分を切り替える手段とを備えるシステム。
【請求項４８】
受信器における省電力するためのデジタルブロードバンド伝送を受信する受信器において、
前記部分を検出するために、前記受信器における省電力に適するためのアダプタである前記デジタルブロードバンド伝送の部分に関する情報を受信する手段と、
前記受信情報に基づいた前記部分を検出する手段と、
前記受信情報に基づいて少なくとも該受信器のオン／オフの部分を切り替える手段とを備える受信器。
【請求項４９】
請求項４８に記載の受信器において、前記検出手段は、さらに、前記提供情報に基づいた前記デジタルブロードバンド伝送を、前記受信器における省電力に適する部分と該受信器における省電力に適さない部分に分割する手段を備える受信器。
【請求項５０】
請求項４８に記載の受信器において、前記部分はデジタルブロードバンド伝送のエレメンタリーストリーム、および、ＮＩＴテーブルで参照されるトランスポートストリームの１つを備える受信器。
【請求項５１】
請求項４８に記載の受信器において、前記デジタルブロードバンド伝送は、少なくとも部分的にタイムスライスデータブロードキャスト伝送を備える受信器。
【請求項５２】
請求項４８に記載の受信器において、前記受信器は、さらに、モバイルＤＶＢ−Ｔ受信器を備える受信器。
【請求項５３】
請求項５２に記載の受信器において、前記受信器は、さらに、前記デジタルブロードバンド伝送とのインタラクションのためのモバイルステーションを備える受信器。
【請求項５４】
請求項４８に記載の受信器において、前記ストリームの少なくとも１つは、タイムスライスエレメンタリーストリームを備え、前記受信器は、さらに、ブロードバンドネットワーク上を配信されるタイムスライスエレメンタリーストリームの少なくとも１つを識別する手段を備える受信器。
【請求項５５】
請求項４８に記載の受信器において、前記提供情報は、前記デジタルブロードバンド伝送のバースト内に含まれるサービスセッションのサイズに関する情報を含み、かつ、前記受信器は、さらに、
前記受信器内の利用可能メモリを前記サイズと比較する手段と、
前記比較で得られた結果に基づいて少なくとも受信器オン／オフ部分を切り替える手段とを備える受信器。
【請求項５６】
受信器における省電力のためのデジタルブロードバンド伝送を送信するための送信器は、
前記デジタルブロードバンド伝送の部分に関する情報を提供する手段であって、前記受信器で認識のための該部分を分類するために、該部分は該受信器における省電力のために適するようになっている手段と、
前記提供情報に従って少なくとも前記受信器のオン／オフ部分を切り替えるために該提供情報に基づいて該部分を分類する手段とを備える送信器。
【請求項５７】
請求項５６記載の送信器において、前記分類手段は、さらに、提供情報に基づいて前記デジタルブロードバンド伝送を、前記受信器における省電力に適する部分と該受信器における省電力に適さない部分とに分類する手段を備える送信器。
【請求項５８】
請求項５６記載の送信器において、前記部分は、前記デジタルブロードバンド伝送のエレメンタリーストリーム、および、ＮＩＴテーブルで参照されるトランスポートストリームの１つを備える送信器。
【請求項５９】
請求項５６に記載の送信器において、前記デジタルブロードバンド伝送は、少なくとも部分的にタイムスライスブロードキャスト伝送を備える送信器。
【請求項６０】
請求項５６に記載の送信器において、前記少なくとも１つの部分は、タイムスライスエレメンタリーストリームを備え、および、前記送信器は、さらに、ブロードバンドネットワーク上を配信される少なくとも１つのスライスエレメンタリーストリームを分類する手段を備える送信器。
【請求項６１】
請求項５６に記載の送信器において、前記提供情報は、前記デジタルブロードバンド伝送のバースト内に含まれるサービスセッションのサイズに関する情報を含み、かつ、前記送信器は、さらに、
前記受信器内の利用可能メモリと前記サイズを比較し、該比較で得られた結果に基づいて少なくとも該受信器のオン／オフ部分を切り替えるように該受信器を適応する手段を備える送信器。
【発明の詳細な説明】
【技術分野】
【０００１】
本発明は、通信リンク上の分散データのためのシステム、方法、そしてネットワークエンティティに関する。
【背景技術】
【０００２】
放送は、ラジオにおいておよそ１世紀の伝統を有する。ＴＶでさえ、歴史は、１９３０年代に戻る。放送業は、大衆へのエンターテイメントおよび情報の両方をもたらす時に、世界中で成功し続けている。
【０００３】
放送業における最近の動向は、ラジオとＴＶ両方のデジタル化である。デジタルラジオは、市場において大きな需要を得なかった。しかしながら、デジタルＴＶが新しい利益とサービスを消費者に運び、結果として、放送業界に新しい収入の流れを生むという多くの希望がある。しかしながら、ＴＶサービスそれ自身の基本概念は、あまりおおきく変化していない。むしろ、ＴＶは、デジタルになっても、以前と同じようにある。
【０００４】
１９９０年の中盤以降において、我々はインターネットブームに出会った。新しいサービスとコンテンツのセットの全体は、短期で、革命的で、宣伝が熾烈な間に、消費者に利用可能となった。その期間は、ｅコマース、インターネットサービスプロバイダ（ＩＳＰｓ）、ポータル、アイボールゲーム（ｅｙｅｂａｌｌｓ  ｇａｍｅ）、ドットコムカンパニ、ニューエコノミーすら生まれた。アクセス技術（例えばＡＤＳＬ）とコード化技術（例えばＭＰＥＧ４ストリーミング）の両方における発展は、インターネットを通して家庭にビデオのようなリッチメディアコンテンツを運ぶことも可能になった。これらの技術と市場のブレークスルーにも拘わらず、メディアハウスは、その“無料”体質と海賊行為の脅威のために、それらのコンテンツがインターネットを通して配布されることにずっと乗り気ではなかった。インターネットは、その絶大な人気にも拘わらず、主要な広告プラットフォームとしての伝統的なメディアの役割に挑戦することはなかった。
【０００５】
放送は、莫大な情報量と共に、受信器を与える。その受信器は、放送情報からサービスを得るために、接続と案内情報を得る必要があり、および／または、接続と案内情報に示されるサービスの一部を得るために、接続と案内情報を得る必要がある。その接続と案内情報は、典型的には、サービスの開示を示し、案内する番組配列情報（ＳＩ）内に含まれる。そのＳＩは、少なくとも１つの放送ネットワークの様々なサービスを示す。
【０００６】
放送の最新器具は、受信器に電力消費考慮の必要を挙げ、受信器における省電力化の努力が成されている。しかしながら、これらの努力はＳＩと一致しているけれども、受信器とシステムは、十分な利益を与えていない。さらに、それらは、放送に関して盲目である。この場合には、受信器は、省電力原則に適するように修正される多重送信内に運ばれるストリーム、あるいは、それが存在しないことを、識別できない。
【先行技術文献】
【非特許文献】
【０００７】
【非特許文献１】ETSI EN 300 468 V1.4.1、Digital Video Broadcasting (DVB); Specification for Service Information (SI) in DVB systems (2000年11月)
【非特許文献２】ISO/IEC 13818-1、Information technology − Generic coding of moving pictures and associated audio information: Systems (2000年12月)
【発明の概要】
【発明が解決しようとする課題】
【０００８】
放送固有の様々な制限のために、これらの、または、他の従来技術に関連する問題を回避し、軽減するのが望ましい。このように、省電力原則を考えると、ブロードバンド伝送の部分を識別する要求がある。
【課題を解決するための手段】
【０００９】
さて、省電力原則を考えると、ブロードバンド伝送の部分を認識する方法と準備は、創造され続けている。
【００１０】
本発明の一つの形態によれば、受信器で省電力のためのデジタルブロードバンド伝送を受信する方法において、該方法は、前記デジタルブロードバンド伝送の部分に関する情報を提供するステップであって、該デジタルブロードバンド伝送の部分は、該受信器で該部分を検出するために、該受信器内で該省電力に適するようになっているステップと、前記提供情報に基づいて前記部分を検出するステップと、前記提供情報に基づいて少なくとも前記受信器のオン／オフ部分を切り替えるステップとを備えることを特徴とする方法が提供される。
【００１１】
本発明の他の形態によれば、受信器における省電力のためのデジタルブロードバンド伝送を伝送する方法において、該方法は、前記デジタルブロードバンド伝送の部分に関する情報を提供するステップであって、該受信器で該識別部分を分類するために、該部分は該受信器での省電力に適するようになっているステップと、前記提供情報に従って、少なくとも受信器のオン／オフ部分を切り替えるために該情報に基づいて前記部分を分類するためのステップとを備えることを特徴とする方法が提供される。
【００１２】
本発明のさらに他の形態によれば、受信器での省電力のためのデジタルブロードバンド伝送を提供するシステムにおいて、該デジタルブロードバンド伝送の一部の情報を提供する手段であって、受信器での該部分を検出するために該部分は受信器での省電力に適するようになっている手段と、該提供手段に基づいて該部分を検出する手段と、該提供情報に基づいて少なくとも受信器のオン／オフ部分を切り替える手段とを備えることを特徴とするシステムが提供される。
【００１３】
本発明のさらに他の形態によれば、受信器で省電力するためのデジタルブロードバンド伝送を受信する受信器において、前記部分を検出するために、該部分は前記受信器で省電力に適するためのアダプタである前記デジタルブロードバンド伝送の部分に関する情報を受信する手段と、前記受信情報に基づいた前記部分を検出する手段と、前記受信情報に基づいて少なくとも受信器のオン／オフの部分を切り替える手段とを備えることを特徴とする受信器が提供される。
【００１４】
本発明のさらに他の形態によれば、受信器で省電力するためのデジタルブロードバンド伝送を伝送するための送信器は、前記デジタルブロードバンド伝送の部分に関する情報を提供する手段であって、前記受信器で該認識のための部分を分類するために、該部分は該受信器で省電力のために適するようになっている手段と、前記提供情報に従って少なくとも受信器のオン／オフの部分を切り替えるための提供情報に基づいて該部分を分類する手段とを備えることを特徴とする送信器が提供される。
【図面の簡単な説明】
【００１５】
【図１】本発明の実施例に従って、デジタルブロードバンド伝送およびそのような伝送の受信原理の例を示す図である。
【図２】具現化された本発明の原則が適応され得る、ＤＶＢネットワーク、トランスポートストリーム（ＴＳ）、ＤＶＢサービスとコンポーネント間の関係の例を示す図である。
【図３】本発明の他の実施例におけるデルタｔジッタの適用例を説明する図である。
【図４】具現化された本発明の原則が適応されうる一般的なシステムアーキテクチャを示す図である。
【図５】本発明の実施例に従って、タイムスライスされたエレメンタリーストリームを識別し、受信されたエレメンタリーストリーム上に付加的な情報を与えるターミナルの機能ブロックを表現する図である。
【図６】本発明の実施例に従って、タイムスライスエレメンタリーストリームを識別し、受信したエレメンタリーストリーム上に付加的な情報を与える方法を、フローチャートの形式で表現する図である。
【図７】本発明の実施例に従って、タイムスライスされていないデータからタイムスライスされたデータを分けるための方法をフローチャート形式で表現する図である。
【図８】本発明の実施例に従って、伝送されたＤＶＢストリームを分類するための方法を、フローチャート形式で表現する図である。
【発明を実施するための形態】
【００１６】
本発明のより良い理解のための言及は、次の説明でなされ、添付の図に関連して採り上げられ、そしてその範囲は、添付しているクレームで指摘されるだろう。添付の図に関して、本発明は例示のみで述べられている。
【実施例】
【００１７】
デジタルビデオ放送（ＤＶＢ：Digital Video Broadcasting）は、高帯域広帯域伝送チャンネル（high bandwidth broadband transmission channel）を提供し、そこでは、配信は、典型的に、ブロードキャスト、マルチキャスト、または、代替的にユニキャストである。その高帯域伝送チャンネルは、そのようなシステムのユーザに様々なサービスを提供する。様々なサービスを得るための識別は、適当なサービスモデルと受信器に集中させることが必要である。ＤＶＢは、適用可能な原理を提供し、そして、地上デジタルビデオ放送（ＤＶＢ−Ｔ：Terrestrial Digital Video Broadband）が本発明の実施例において適応されるのが好ましい。代替的には、本発明は、アドバンストテレビジョンシステム委員会（ＡＴＳＣ：Advanced Television Systems Committee）に従って、適当な範囲で、伝送に適用され得る。
【００１８】
デジタルブロードバンド伝送は、莫大な量のデータ情報を受信器に与える。デジタルブロードバンド伝送の本質は、伝送は典型的に、ブロードキャスト、マルチキャストを適用する複数の受信器へのストリーミング配信であって、あるいはまた、単一の受信器に対するユニキャストポイントツーポイント配信でもある。受信器は、莫大な伝送データ情報の中に適切な情報を見つけられるべきである。関係のあるサービス、および／または、受信器に提供可能なサービスまたは受信器によって要求されるサービスを受信することができるために、受信器は、あるパラメータを要求する。なぜなら、デジタルブロードバンド伝送は、たくさんのデータを配信することが出来るので、それは受信器にサービス、および／または、伝送情報の中のサービス部分を発見させることが可能なパラメータを配信できる。これらのパラメータは、デジタルブロードバンド伝送によって、受信器に伝送される。受信器は、それらを認識し、パラメータに従ってそれ自身を修正することができる。それゆえ、受信器は、ブロードバンド伝送の中の莫大なデータから関係するデータを識別することによって、サービスの受信をすぐに開始することが出来る。ブロードバンド配信のデータ配信リンクは、ワイヤレスリンク、固定リンク、配線リンクであり得る。デジタルブロードバンド伝送システムは、受信器とのインタラクションを有しても良いが、そのインタラクションは、必須の要件ではない。電力消費が制限される受信器、例えばモバイルＤＶＢ−ＴのようなモバイルＤＶＢ受信器の電力消費という局面のため、受信器内でＤＶＢ伝送の省電力原理に適応するように修正されるＤＶＢ伝送のそれらの部分を認識し、集中させることは、有益である。例えば、受信器は、機能的であり、または、関係のある伝送が送られる時間間隔の間には物理的であり、典型的に周期的で、あるいはまた非同期的で、さもなければオフである。加えて、ＤＶＢ伝送における省電力原則のためのパラメータは、サービスと省電力原則に従って伝送されるサービスに関する付加的な情報を配信し、報告するために有益的に修正される。
【００１９】
ここで使われるように、伝送はブロードキャスト、マルチキャスト、またはユニキャストを参照し、そしてデータは、ＩＰプロトコール−コード化されたデータを含むことができるが、それに制限はされない。
【００２０】
本発明の好ましい実施例は、方法、システム、送信器、ＰＳＩ／ＳＩテーブルを用いたタイムスライスされたエレメンタリーストリームの認識用の受信器を提供する。この認識は、タイムスライスされてないエレメンタリーストリームからタイムスライスされたエレメンタリーストリームを分ける方法を提供する。好ましい本実施例は、タイムスライスされるエレメンタリーストリームを認識するために使われるタイムスライス識別記述子を規定する。
【００２１】
有益にも、この記述子は、送られたエレメンタリーストリームについての付加的な情報を与えるためにも使われる。このように、この実施発明は、ブロードキャスト環境にＰＳＩ／ＳＩテーブルを通してタイムスライスされたエレメンタリーストリームについての付加的な情報を知らせる方法を与える。その上、それは、ノンタイムスライスおよびタイムスライスとして単一のエレメンタリーストリームを分類する構造を与える。
【００２２】
本好ましい実施例は、ＤＶＢネットワーク上で配信されるタイムスライスされたエレメンタリーストリームを識別する方法を与え、そしてそれらのストリーム上に付加的な情報を与える。これは、タイムスライス識別記述子を用いてなされる。記述子は、少なくと、ネットワーク情報テーブル（ＮＩＴ：Network Information Table）、放送番組マップテーブル（ＰＭＴ：Program Map Table）およびＩＰ／ＭＡＣ通知テーブル（ＩＮＴ：IP/MAC Notification Table）内で使用される。各々のテーブルは、次のようなレベルで情報を提供する。
【００２３】
ＮＩＴ−記述子は、各トランスポートストリーム毎に情報を提供するために使用される（例えば、トランスポートストリーム内の全ての適用可能なエレメンタリーストリームは、タイムスライスされる）。
【００２４】
ＰＭＴ−記述子は、１つ以上のＩＰ／ＭＡＣストリームを運ぶ各エレメンタリーストリーム毎の情報を提供するために使用される。
【００２５】
ＩＮＴ−記述子は、１つ以上のＩＰ／ＭＡＣストリームを運ぶ各エレメンタリーストリーム毎の情報を提供するために使用される。
【００２６】
このコネクション上のＳＩ、および／または、このコネクション上のＰＳＩおよびＰＳＩテーブルをも備えるＳＩテーブルに特に言及する。ＳＩ／ＰＳＩテーブルは、タイムスライス識別記述子を含み、それらは受信器に配信されるのは好ましい。タイムスライス識別記述子は、技術明細書内でタイムスライス-識別記述子（time-slice-identifier-descriptor）として参照される。
【００２７】
本発明の幾つかの実施例は、ＤＶＢ内にタイムスライスデータ伝送原理を適応する。次の短い導入部では、ＤＶＢ内に実施されるタイムスライスが供給される。（ラジオ周波数とベースバンド部品の両方を含む）現状のＤＶＢ−Ｔ受信器は、モバイル集中ターミナル内に統合するにはあまりにも電力を消費しすぎることが考慮されている。その電力消費は、現在の最高水準にある技術で約２．５Ｗである。しかしながら、モバイルハンドヘルド端末においては、いかなる付加的な受信器の平均電力消費は、２５０ｍＷ以下である。これはバッテリー容量の制限のためだけでなく、ミニチュア化した環境下における熱の消失の極度的挑戦のためである。それゆえ、およそ８０〜９０％の電力消費削減が、モバイル端末におけるＤＶＢ−Ｔ受信器を使うことが出来るために必要とされている。たいてい、モバイル端末で使用されるサービスは、本来極めて低いビットレート伝送に基づいている。しばしば、最大ビットレートは、３５０ｋｂｉｔｓ／ｓのオーダーである。ＤＶＢ−Ｔ伝送システムは、モバイル互換性を持つ変調パラメータ選択でさえ１２Ｍｂｉｔｓ／ｓビットレートまで提供する。これは、時分割多重通信方式（ＴＤＭ：Time Division Multiplexing）の導入によって、平均ＤＶＢ−Ｔ受信器の電力消費を劇的に減らす可能性を与える。時間分割多重通信方式（ＴＤＭ）は、ここではアクティブと非アクティブ間が伝統的なＴＤＭよりずっと長いために、タイムスライスと呼ばれる。原理的なアイデアは、ＤＶＢ−Ｔ伝送チャンネル帯域の重要な部分（あるいは全て）を利用して、バースト内に情報を送ることである。例えば、異なる隣接バーストは異なるサービスに関連し、バーストは周期的に伝送される。そのような伝送は、典型的なＴＤＭのケースのように、非連続になる必要性はないが、連続的な伝送は、受信フォーカスが伝送と関係する部分上にあるか、たとえ伝送が連続でも伝送の関係する部分上に強い強調があるような方法で適応可能である。これは、受信器が時間の小さい部分のみをアクティブにするのを可能にし、受信したバーストをバッファリングすることによって定常的に低いビットレートを与える。このように、タイムスライシングは、ＴＤＭ原理を適用し、不使用時に受信器を少なくとも部分的にオフにする。タイムスライシングは、ストリーミングと他の連続的なパラレルＩＰデータサービスに適応されるのが好ましい。ＩＰデータは、ＤＶＢ−Ｔ伝送チャンネル帯域の重要な部分（もしくは全て）を利用するバーストとして伝送される。同じサービスに関連する２つのバースト間の時間間隔は、使用されるビットレートに依存している。受信器は、受信の関係するバースト間に機能的であり、さもなければ少なくとも部分的にオフである。
【００２８】
タイムスライシングシステムは、ターミナル性能を改良するために、主に省電力のために導入される。タイムスライシングシステムは、それ故、インプリメンテーションが受信器にとって最適になる最終的な観点から最適化される。送信器側は、実行するためにはもっと複雑になり得る。この選択は、受信器の数は送信器よりもずっと多いので、正当化される。ＤＶＢ−Ｔシステムは、（１から他への）ブロードキャストタイプである。それ故、送信器の数は極めて少なく。しかし、送信器側のインプリメンテーションコストは、受信器のインプリメンテーションと比較すると制限は少ない。有利にも、タイムスライスストリームがＤＶＢ上を伝送される場合に、タイムスライスストリームは、タイムスライス認識記述子によって認識され得る。加えて、記述子は、記述子を含みおよび関連するストリームとサービス上に更に情報を与える。
【００２９】
さらにタイムスライス実施例に言及すると、伝送されるサービスは、送信器側でバーストに分けられる。低いビットレートサービス（例えば、ストリーミングビデオ）は、ＤＶＢ−Ｔチャンネルの全体の容量を用いて、高いビットレートバーストで伝送される。これは、同量のデータを連続システムより短い時間で送ることを可能にする。
【００３０】
送信器は、受信器のためにシステムクロック情報を、例えばクロックスタンプを送ることによって、提供する。このシステムとともに、送信器と受信器は、常に粗く時刻同期されている。
【００３１】
送信器は、相対時計をバーストのタイミングを指示するために使用する。送信器は、幾つかのプロトコールと共に、例えば、開始、停止、期間、バーストのオン／オフ間隔についての情報を送る。全てのタイミング情報は、バーストのスタートに関連しており、必須ではない。受信器は、この情報をＤＶＢ−Ｔ受信器をオンとオフに設定するために使用する。送信器は、相対タイミング情報（間隔）がフレーム情報内に挿入されるために最初のものを送る前に少なくとも２つのバッファを有さなければならない。
【００３２】
さらにタイムスライスの実施例について言及すると、送信器は、要求されるタイミング情報を発生する。その情報は、伝送直前の伝送情報に加えられるべき、もしくは、タイミング情報挿入と実際の伝送間の遅延は、固定されるか、予測可能であるべきである。
【００３３】
タイミング情報は、例えば次のものに挿入される。１）ＤＶＢ−ＭＰＥ（Multiprotocol Encapsulation（マルチプロトコールカプセル化））フレームまたは他のＤＶＢデータ、２）ＩＰパケット、３）ＤＶＢ−Ｔ内のＴＰＳ（Transmitter Parameter Signalling（送信器パラメータ信号化））のようなモジュール化データ。
【００３４】
ターミナルは、バーストが伝送されるちょっと前に、タイミング情報を抜き取り、受信器をオンに切り替える。これは、受信器が、役に立つデータバーストが受信される前に入ってくるストリームに同期する時間を与える。
【００３５】
一般的に低い精度（＋−１ｓ）クロックが、どれか次のＳＩテーブルの標準、即ち時間およびデータテーブルまたはタイムオフセットテーブル、から抜き出される。このクロック情報は、受信を開始するために使用される。それはＳＦＤＬ（ＳＦＤＬ：scheduled file download（スケジュールされたファイルダウンロード））のためにも使用される。
【００３６】
タイムスライシングにとって、相対タイミング情報は、提供されるべきである。送信器と受信器の両方は、それらの独立したクロックを有するが、これらのクロックの相対的な精度は十分に良いと仮定される。実際には、相対タイミング情報は、例えばＭＰＥフレーム内に、例えば１０ｍｓの分解で伝送される。送信器は、現在のバーストに関連する次のバーストの開始の信号を送る。ターミナルは、次のバーストが来るまでスリープするために、その所有するリアルタイムクロックを使用する。
【００３７】
本発明の一実施例に従って、図１の例は、そのような送信器のための伝送と受信原理を示す。その例は、タイムスライスデータブロードバンド伝送を表現し、および、どのように異なるサービスが分けられているか、図形１００で表現している。それは、また省電力原則に従って、適当なサービスが受信されるような方法で、受信器がオンとオフになる時を表現する受信電力図１０１を示す。
【００３８】
図１の例は、伝送されるべき４つのサービスを有している。受信器は、サービス３を受信するのを希望し、それにそって受信器電源オン／オフタイミングは、サービス３が伝送される時は実質的にオンとし、さもなければ受信器の電力消費をセーブ／減少するためにオフにするような方法で調整される。
【００３９】
本発明に適用される伝送プロトコールの幾つかの実施例は、仕様ＩＳＯ／ＩＥＣ１３８１８‐１（Information Technology-Generic Coding of Moving Picture and Associated Audio Information: Systems on pages viii-xii  参考としてここに含む）内に表されている方法とシステムに基づいている。ＩＳＯ／ＩＥＣ１３８１８‐１は、サービス伝送およびＤＶＢのための基本を形成するトランスポートストリーム（ＴＳ）を規定する。
【００４０】
本発明の幾つかの実施例は、エレメンタリーストリーム（ＥＳ）を適用する。図２は、ＤＶＢネットワーク（２００）、トランスポートストリーム（ＴＳ）（２０１）、ＤＶＢサービス（２０２）そしてコンポーネントを含むエレメンタリーストリーム（２０３）間の関係の例を示す。コンポーネントは、サービスのある部分を規定し、サービスやサービス部分の受信のためのパラメータを含むのが好ましい。コンポーネントは、典型的にコンポーネントタグ（component-tag）で認識される。コンポーネントタグは、ＤＶＢサービス内で独自である。コンポーネントは、エレメンタリーストリーム（ＥＳ）内に運ばれ、プログラム識別子（ＰＩＤ）によって認識される。ＰＩＤは、ＴＳ内で独自である。コンポーネントタグとＰＩＤ間のマッピングは、プログラムマップテーブルで信号を送られる。図２の鎖線で説明されるように、１つのＤＶＢサービスより多くのコンポーネントを運ぶ１つのＥＳを有することがあり得る。有利なのは、様々なＥＳがタイムスライス識別記述子によって識別され、加えて、タイムスライス記述子は、伝送されるエレメンタリーストリームについて付加的な情報を提供することが出来る。タイムスライス識別記述子は、ＳＩ／ＰＳＩテーブル内に含まれている。
【００４１】
典型的には、ＩＰストリームは、ＩＰデータグラムを備える。ＤＶＢ上にＩＰを伝達するために、マルチプロトコールカプセル化（ＭＰＥ）による解決が好ましい。ＭＰＥはＤＶＢ仕様で特定されたＩＮＴテーブルとともに作動する。
【００４２】
本発明の幾つかの実施例は、ＩＮＴテーブルを適用する。ＩＰ／ＭＡＣ通知テーブル（ＩＮＴ）は、ＤＶＢネットワーク内のＩＰストリームの利用可能性と位置を知らせるために使われる。ＩＮＴは、ＩＰストリームの利用可能性と位置を説明する。ＤＶＢネットワークのための全てのＩＰストリームをカバーする１または多くのＩＮＴがある。ＩＮＴは、ＰＭＴのＥＳ情報（ES-info）ループ内の、例えば、データブロードキャストＩＤ記述子（the-data-broadcast-id-descriptor） OxOOOBによって参照される。ＴＳ内で利用可能なＩＰストリームを有する各ＩＰプラットフォームは、ＴＳ内の実際の１つのＩＮＴサブテーブル（INT sub-table）内に知らされる。ＩＮＴは、実際のＴＳ内で利用可能な全ＩＰストリームを知らせる。ＩＮＴは、ＩＰストリームを他のＴＳ上に知らせるかもしれない。ＩＮＴ（例えば、重なったまたは近くのサービスエリア）を含むＴＳにアクセスを有する間は、ＩＮＴは、受信器が（再チューニングによって）アクセスを有するＤＶＢネットワークの全ＴＳ上の全ＩＰストリームを知らせるべきである。有利なのは、タイムスライス識別記述子は、ＩＮＴテーブル内で参照され、その記述子は１以上のＩＰ／ＭＡＣストリームを運ぶ各エレメンタリーストリーム毎に情報を提供するために使用される。
【００４３】
さらにＩＮＴ実施例とＩＮＴテーブル内のタイムスライス識別記述子の使用に言及する。タイムスライス識別記述子は、ＩＮＴのプラットフォームループとオペレーションループ内に位置する。
【００４４】
タイムスライス識別記述子がプラットフォームループにある場合は、それはＩＮＴサブテーブル全体の中に知らされる全てのＥＳに適用される。
【００４５】
タイムスライス識別記述子がオペレーションループ内にある場合は、それはループ（オペレーションループ）内に知らされる全ＥＳに適用される。
【００４６】
第１ループ内に識別子を加えることによって、識別子はサブテーブル内の全てのＥＳに適用され、それ故、一度だけ必要とされる。有利なのは、ＩＮＴ内にタイムスライス識別子を適用することは、帯域の使用を最適化することである。もし多くのＥＳがタイムスライスされるなら、あるとしてもほとんど少ない、これは帯域の使用を著しく最適化するだろう。例え、全ＥＳがタイムスライスされる場合でも、ＩＮＴは典型的に他の全てのＰＳＩテーブルよりしばしば少なく再伝送されるので、ＩＮＴに識別子を加えることは、帯域の使用を最適化する。タイムスライス識別ディスクプタのための系統的配列は、表１の例に示されている。
【００４７】
本発明の幾つかの実施例は、タイムスライス識別記述子を適用する。表１は、タイムスライス識別記述子テーブルの例を与える。
【００４８】
【表１】
2010093867.tif 000003
【００４９】
タイムスライス識別記述子は、タイムスライスしたＩＰストリームの情報を提供するために適用される５つのフィールドを有する。タイムスライス識別記述子は、次のＰＳＩ／ＳＩテーブル、ＰＭＴ、ＮＩＴそしてＩＮＴに、少なくとも配置され、参照され得る。
【００５０】
タイムスライス識別記述子は、次のフィールド、記述子タグ（descriptor-tag（一般的な識別フィールド））、記述子長（descriptor-length（一般的な識別フィールド））、タイムスライシングバージョン（time-slicing-version）、最大バースト時間（max-burst-duration）、バースト内サービスサイズ（service-size-within-burst）、デルタｔジッタ（delta-t-jitter）、およびデルタｔファクタ（delta-t-factor）、を含む。次に、タイムスライス識別記述子のフィールドのより詳細な例が与えられる。
【００５１】
タイムスライシングバージョン（time-slicing-version）:  使用されるタイムスライシングのバージョンを特定する。あるバージョンナンバは、例えば‘００’、参照されるＥＳがタイムスライスされていないことを示すために保存される。そこでは、次のフィールドのケースは無視される。有利なのは、バージョンＩＤの存在はタイムスライススタンダードの多くの異なるバージョンを同じネットワークに送ることを可能にする。さらに、スライスＭＰＥレベルとＴＳにおいても同時に検討される。
【００５２】
最大バースト時間（max-burst-duration）:  最大バースト時間を示す。下に示す表２は、最大バースト時間のコーディングの例を提供する。
【００５３】
【表２】
2010093867.tif 000004
【００５４】
これは、静的なタイムアウト値を備える。有利にも、バーストの最後のデータが幾つかの理由のために失われるなら、この場合、受信器はまだ休憩（および電力をセーブ）することが可能である。バースト最大期間の情報に基づいて、受信器は受信期間を評価し、たとえバーストが失われるとしても受信データがじゃましないように休憩することが出来る。
【００５５】
バースト内サービスサイズ（service-size-within-burst）:  １つのバースト内のサービスセッション毎の最大ビット数を特定する。ただ１つのサービスセッションがＥＳ内で運ばれる場合に、これはＥＳ内のバーストの最大サイズである。多数のサービスセッションがＥＳ内で運ばれる場合には、バーストのサイズは特定された値より大きくなるかもしれない。下に示す表３は、バースト内の最大サービスサイズのコード例を与える。
【００５６】
【表３】
2010093867.tif 000005
【００５７】
セッション毎のバーストサイズのオブジェクトは、セッション毎のバーストサイズに制限される。有利なのは、セッション毎のバーストサイズの適用は、エレメンタリーストリーム内のＩＰストリームがタイムスライスされることを可能にする。もう１つの有益は、受信器がそのセッションに関係を付属するように、そのセッションに基づいて明快にメモリの使用を最適化（減らす）ことである。送信器は、バーストがエレメンタリーストリーム特性で作られる方法で伝送を操作する。送信器は、まさにシングルセッションがあらかじめ定義されたバーストのバイト量より多く適用されていることに注意を払う。受信器がそのような伝送を受信する場合は、受信器はバーストがセッションから形成されると認知する。このように、送信器によって処理されるバーストサイズは、受信器で見られるバーストサイズと異なる。セッション毎のバーストの適用の利益は、受信器がより大きなデータエンティティ（多くのセッション／バースト）をより上手に処理すること、受信器のメモリ使用が減少されること、メモリの適切なサイズに関する情報が最適使用により近づく利用可能なメモリに基づいて得られること、タイムスライスオン／オフ回数の適応スケールがより大きくされることである。 
【００５８】
このように受信器によって認知されるバーストのサイズを制限するためのセッションの適用が与えられる。
【００５９】
デルタｔジッタ（delta-t-jitter）:  タイムスライス識別記述子は、デルタｔオフセットパラメータであるデルタｔジッタを示すフィールドも有することが出来る。デルタｔパラメータは、受信器がタイムスライスされたデジタルブロードバンド伝送内の次の関係するバーストをオフにすべきである時間を示す。このように、次の関係するバーストへのオフタイムはデルタｔパラメータで受信器に信号が送られる。デルタ-ｔの精度が受信器に示されるべきである。例えば、論理的または現在に適用されている使用から＋／−１０ｍｓ、または、＋／−２０ｍｓである。これは、ある単位または、現在のまたはランニングしているものが適用されるもの以外の他の単位も示す。このためのパラメータはデルタｔジッタとして参照されるのが好ましい。上記パラメータは、送信器内のＭＰＥバーストの出力許容限度を特定する。ＩＲＤによって各バーストのＭＰＥヘッダに与えられるデルタｔ値を訂正するために使用される。そのパラメータは、どのように伝送時間精度が次のバーストに結果としてもたらすかという情報を提供する。デルタｔは、バースト毎に示される。下に示す表４は、デルタｔジッタのコード化例を提供する。
【００６０】
【表４】
2010093867.tif 000006
【００６１】
デルタｔファクタ（delta‐t‐factor）:  デルタｔが掛けられなければならない値を特定する。例えば、もしバーストから読み出されるデルタｔが１０ｍｓおよびそのファクタ（factor）が２であるなら、次のバーストへの時間は、１０×２＝２０ｍｓである。典型的には、ファクタのために特定された値が１であり、しかし他の値が適用されても良い。下に示す表５は、デルタｔファクタのコード化例を与える。
【００６２】
【表５】
2010093867.tif 000007
【００６３】
図３は、さらなる発明の実施例において、デルタｔジッタの適用例を説明する。図３の例は２つのバースト（バースト３００とバースト３０１）の伝送を説明する。そこで参照ａ）は、伝送前のＭＰＥヘッダに設定されるデルタｔの情報を示す。さらに、参照ｂ）は、実際の伝送で生ずるジッタを示す。そこで、デルタｔジッタはｎとして示される。
【００６４】
このように、オペレータ（あるいは送信器として参照される）が各々の伝送で生ずるデルタｔジッタ（＋／−）に気付き、タイムスライス-識別記述子内のデルタｔジッタフィールドの中でそれを知らせるならば、ＩＲＤはこのジッタエラーの準備をするかもしれない。
【００６５】
本発明の幾つかの実施例では、ＮＩＴを適用する。ＮＩＴは、与えられたＤＶＢネットワーク内の多重送信／ＴＳの物理的な組織およびＤＶＢネットワークそれ自身の特長に関連する情報を伝達する。ＮＩＴ上の更なる詳細は、スタンダードスペックＥＮ  ３００  ４６８  （２０００−１１）の１６ページ上に見られる。タイムスライス識別記述子がＮＩＴ内に適用される時、タイムスライス識別記述子は各トランスポートストリーム毎の情報を提供するために使用される。例えば、トランスポートストリーム内の全ての適用可能なエレメンタリーストリームは、タイムスライスされる。タイムスライス識別記述子は、ＮＩＴのトランスポートストリームループ内に配置される。ＮＩＴのトランスポートストリームループ上の更なる詳細は、スタンダードスペックＥＮ  ３００  ４６８の１６ページの表３に見つけられる。タイムスライス識別記述子は、タイムスライス識別記述子が含む情報と共に各トランスポートストリームをマップする。
【００６６】
本発明の幾つかの実施例は、ＰＭＴを適用する。各ＰＭＴは、プログラムのビデオ、オーディオ、データ構成要素をリストしながら、逐語的に特定のプログラムを示す。この情報と共に、デコーダは簡単にプログラム内容を、発見し、デコードし、表示する。スペックＩＳＯ／ＩＥＣ  １３８１８−１（Information Technology-Generic Coding of Moving Picture and Associated Audio Information）:システムは、４４ページ上のＰＭＴ上に更なる技術詳細を提供する。有利なのは、タイムスライス識別記述子は、ＰＭＴで使用される各エレメンタリーストリーム毎の情報を提供するために使用される。さらなる例において、ＰＭＴテーブル内のタイムスライス識別記述子は、次のようである。タイムスライス識別記述子は、ＰＭＴの第２ループ内に配置される。ＰＭＴ第２ループは、ＩＳＯ／ＩＥＣ  １３８１８−１のページ４４の表２−２８内で参照される。タイムスライス識別記述子がＰＭＴに適用される時は、それは各エレメンタリーストリームを、タイムストリーム識別記述子が含まれる情報と共にマップする。
【００６７】
図４は、前述で述べられた。次に、同一の参照記号が同一の部分に適用されている。本発明の幾つかの実施例は、図４のシステムに適用する。エンドユーザターミナル（ＥＵＴ：End User Terminal）は、デジタル放送ネットワーク（ＤＢＮ）の範囲の下で操作されるのが好ましい。ＥＵＴは、ＤＢＮが提供しているサービスに基づくＩＰを受信出来ることがあり得る。ＤＢＮはＤＶＢに基づき、ＤＢＮの伝送はエレメンタリーストリーム（ＥＳ）を含む。その伝送は、タイムスライスおよびノンタイムスライス伝送に基づいても良い。その伝送前に、データはＤＢＮで処理される。ＤＢＮは、それが伝送するその伝送を修正する手段を備える。ＤＢＮは、上述のように、例えば表１の例のように、タイムスライス識別記述子を与える。ＥＵＴは、その伝送からタイムスライス識別記述子を得ることができ、タイムスライスストリームを受信する。それ故、ＥＵＴは、タイムスライスとノンタイムスライスのエレメンタリーストリームを伝送から識別することが出来る。加えて、タイムスライス識別記述子に基づいて、ＥＵＴは伝送されるエレメンタリーストリーム上に更なる情報を有することが出来る。ＥＵＴは、そのような記述子とそのような伝送に対する修正を前もって必要としないが、それらはブロードキャスト伝送を受信する間には留意され得る。ＥＵＴは、タイムスライスとノンタイムスライスのエレメンタリーストリームを識別するためにいかなるインタラクションも要求しない。ＤＢＮ伝送は、ＤＶＢ−Ｔに基づいたＥＵＴへのワイヤレスまたはモバイル伝送が好ましい。
【００６８】
さらに図４の例を参照すると、ＩＰカプセル化するもの（ＩＰエンカプセレータ）を含む電波中継局（ＨＥ：headend）は、マルチプロトコールのカプセル化（ＭＰＥ）を実行し、ＩＰデータをデータコンテナに基づいてＭＰＥＧ−ＴＳ（Moving Picture Experts Group-Transport Stream）内に配置する。電波中継局（ＨＥ）は、テーブルの発生、テーブルの接続、およびテーブルの修正を実行する。
【００６９】
幾つかの実施例においては、ＩＰエンカプセレータの操作は、ＵＤＰパケット内に受信データを配置することを含み、それはＩＰパケット内にカプセル化され、次にＤＶＢパケット内にカプセル化される。このマルチプロトコールのカプセル化の詳細は、例えばスタンダード図書ＥＮ  ３０１  １９２に、見られ、ここに参考として記載する。アプリケーションレイヤでは、使用できるプロトコールは、例えばＵＨＴＴＰ（一定方向のＨＴＴＰ）、ＲＴＳＰ（リアルタイムストリーミングプロトコール）、ＲＴＰ（リアルタイムトランスポートプロトコール）、ＳＡＰ／ＳＤＰ（サービスアナウンスメントプロトコール／サービスディスクリプションプロトコール）そしてＦＴＰである。
【００７０】
さらにある実施例においては、ＩＰカプセル化は、内容が適当な証明書と共に受信器によって使用のみできることを保障するＩＰＳＥＣ（インタネットプロトコールセキュリティ）を利用できる。カプセル化処理間に、ある独自の識別子が少なくともヘッダに加えられる。例えば、ＵＨＴＴＰが使用される時、独自の識別子は、ＵＵＩＤフィールド下のＵＨＴＴＰヘッダ内にコード化される。それゆえ、ある実施例では、特定のターミナルまたはターミナルのグループに対しデータの配信のため要求を満たすために、コンテナは、データがそのターミナルのために提供されるものかどうか決定するための受信器の条件つきのアクセスコンポーネントによって識別され、読み出されるアドレス情報を有する。あるいはまた、複数のターミナルにデータの配信のための要求を満たすために、マルチキャストが適応され、１つの送り側がたくさんの受け側に送る場合に有利である。ヴァーチャルプライベートネットワーク（ＶＰＮ）は、ＤＢＮのシステムおよび受信器でも形成される。ＤＢＮブロードキャストのある帯域は、ＤＢＮから受信器へのポイントトゥーポイントまたはポイントトゥーマルチポイントコミュニケーションに配置される。そのＤＢＮは、他のストリームランニングのための様々な伝送チャンネルを有する。受信器は、ＩＰデータパケットを形成するためのマルチプロトコールデカプセル化を実行する。
【００７１】
そう生み出されるＤＶＢパケットは、ＤＶＢデータリンク上を伝送される。ＥＵＴは、ブロードキャストデータをデジタル的に受信する。ＥＵＴはタイムスライス識別記述子、さらにタイムスライスエレメンタリーストリーム、そしてノンタイムスライスエレメンタリーストリームを受信する。ＥＵＴは、タイムスライスエレメンタリストリームとノンタイムスライスエレメンタリーストリームを記述子に基づいて識別することが出来る。加えて、ＥＵＴは記述子からタイムスライスエレメンタリーストリームに関する情報をさらに得ることが出来る。それゆえ、ＥＵＴは、サービスまたはサービスのセッションですら発見し、タイムスライスストリームを分類し、集中し、もし必要なら、ストリームがノンタイムスライスであることをはっきりさせ、タイムスライスストリームに関する情報とそれらの機能や属性を得ることができる。ＥＵＴは、サービスまたはサービスの部分をユーザに提供することが出来る。トランスミッション速度がキャスタ（caster）によって特定される時、その速度は守られる。
【００７２】
図５は、上記において述べられた。次に、同じ参照番号が同じ部分に適用されている。図５の例は、エンドユーザターミナル（ＥＵＴ）を表現し、あるいはまた受信器として参照される。図５のＥＵＴは、上述の例のどれか／全てで使用される。ＥＵＴは、処理装置ＣＰＵ、ブロードバンド受信器部分または二者択一的にマルチキャリアブロードバンド信号受信器部分として参照されるものを備える。ブロードバンド受信器部分は、例えば、ＤＶＢ−Ｔ信号のようなマルチキャリアブロードバンド信号、およびユーザーインタフェースＵＩを受信する。ブロードバンド受信器部分およびユーザーインタフェースＵＩは、処理装置ＣＰＵと組合される。ユーザーインタフェースＵＩは、ユーザに受信器を使うことを可能にするディスプレイとキーボードを備える。加えて、ユーザーインタフェースＵＩは、オーディオ信号を受信し生成するマイクロフォンとスピーカを備える。ユーザーインタフェースＵＩは、（示されていないが）音声認識をも備える。処理装置ＣＰＵは、（示されていないが）マイクロプロセッサ、メモリ、（示されていないが）可能性としてソフトウエアＳＷを備える。ソフトウエアＳＷは、メモリに保存される。マイクロプロセッサは、ユーザーインタフェースＵＩにおける出力とユーザーインタフェースＵＩから受け取る入力の読取を表示しながら、ソフトウエアＳＷに基づいて、受信器の操作、エレメンタリーストリームの受信のような、タイムスライス識別記述子に基づいたエレメンタリーストリームの認識を制御する。操作は、図１〜４、６〜８と表１〜５の例に描かれている。例えば、（示されていないが）ハードウエアは信号を検出する手段、タイムスライス識別記述子を検出する手段、エレメンタリーストリームを発見する手段、タイムスライスされるエレメンタリーストリームとタイムスライスされていないそれらを識別する手段、デスクリプタからエレメンタリーストリームのための情報を読み取る手段を備える。さらに、ＣＰＵはＥＵＴのメモリの利用可能性を制御する。
【００７３】
この利用可能性は、時々（またはスケジュールされたサービス伝送に基づいて規定される）ＣＰＵによってチェックされ、受信器をオンに切り替えまたは受信器をオンに維持するための決定をするためにバースト内に含まれるサービスの最大サイズの情報に比較される。
【００７４】
さらに図５を参照すると、二者択一的に、ミドルウエアまたはソフトウエアの実装は、（示されていないが）適応される。ＥＵＴは、ユーザが気楽に運べるハンドヘルドデバイスになり得る。あるいはまた、ＥＵＴはブロードキャスト受信器またはＤＶＢ−Ｔ放送伝送ストリームを受信（これは図５に鎖線ブロックで示されており、それはこのように二者択一的なオプションのみである）するためのマルチキャリア信号受信器部分を備えるセルラーモバイルフォンとなり得る。それゆえ、ＥＵＴはおそらくはサービスプロバイダと互いに伝達し合う。
【００７５】
図６の例は、タイムスライスエレメンタリーストリームを識別するためのフローチャート形式で方法を表現する。ステップ６００では、ＤＢＮは作動中であり、ＥＵＴはブロードキャスト伝送を受信するためにスイッチを入れられている。ステップ６０１では、ＥＵＴは、ＳＩ／ＰＳＩテーブルを認識し、さらにＥＵＴは全ての知らされたストリームに関する情報を得る。タイムスライス識別記述子は、ＳＩ／ＰＳＩテーブル内に含まれ、結果的に、ＥＵＴはステップ６０２で記述子を発見する。さらに、ＥＵＴは全ての知らされたタイムスライスストリームに関する情報を得る。記述子の例は表１〜５の例で上述される。ＥＵＴは、ＤＢＮのブロードバンド伝送のエレメンタリーストリームもまた受信する。記述子に基づいて、ＥＵＴはタイムスライスおよびノンタイムスライスストリームのためのストリームを分け、分類することが出来る（ステップ６０３）。特に、ＥＵＴはタイムスライス原理の下で伝送されるそれらのエレメンタリーストリームを発見することが出来る。ＥＵＴは、ブロードキャスト受信上のタイムスライシング省電力原理を適用することが出来る。加えて、記述子は、タイムスライスされた（ステップ６０４）受信されたエレメンタリーストリームに関する付加的な情報をＥＵＴに提供する。与えられた情報の例は、表２〜５と図１〜５の例で述べられる。
【００７６】
図７の例は、タイムスライスされたエレメンタリーストリームを分けるためのフローチャート形式での方法を表現する。ステップ７００では、ＤＢＮは作動し、ＥＵＴはブロードキャスト伝送を受信するためにスイッチを入れられる。ステップ７０１では、ＥＵＴはＳＩ／ＰＳＩテーブルを識別し、ＥＵＴは全公表ストリームに関する情報を得る。タイムスライス認識記述子は、ＳＩ／ＰＳＩテーブルで得られ、結果的に、ＥＵＴはステップ７０２で記述子を発見し、そしてＥＵＴも全ての知らされたタイムスライスストリームに関する情報を得る。記述子の例は、表１〜５の例で上述されている。ＥＵＴはＤＢＮのブロードバンド伝送のエレメンタリーストリームをも受信する。記述子に基づいて、ＥＵＴはタイムスライスとノンタイムスライスストリームのためのストリームを分けることが出来る（ステップ７０３）。特に、ＥＵＴはタイムスライス原則下で伝送されるそれらのエレメンタリーストリームを発見することが出来る。ＥＵＴは、ブロードキャスト受信でタイムスライス省電力原則を適用する（ステップ７０４）。加えて、記述子はタイムスライスされる受信したエレメンタリーストリームに関する付加的な情報と共にＥＵＴを提供する（ステップ７０５）。提供される情報の例は、表２〜５と図１〜５の例で述べられる。さらに、付随的にＥＵＴはノンタイムスライスストリームを受信してもよい（ステップ７０６）。
【００７７】
図８の例は、ＤＶＢ伝送ストリームの分類のためのフローチャート形式の方法を表現する。ステップ８００では、ＤＢＮは作動し、ＤＶＢ伝送のためのサービスデータを処理する。ステップ８０１では、ＤＢＮは伝送でのＳＩ／ＰＳＩデータを提供する。タイムスライス識別記述子は、ＳＩ／ＰＳＩテーブル内に含まれ、結果的に、タイムスライス識別記述子は、ステップ８０２内で全てのタイムスライスストリームのための伝送で供給される。記述子の例は、表１〜５の例で上述される。ＤＢＮは、タイムスライスストリームと、たぶんノンタイムスライスストリームもステップ８０３で伝送する。記述子に基づいて、ＤＢＮはタイムスライスおよびノンタイムスライスストリームのためのストリームを分類することが出来る。特に、ＥＵＴはタイムスライス原理下で伝送されるそれらのエレメンタリーストリームを発見することが出来る。ＥＵＴは、ブロードバンド受信内でタイムスライス省電力原理を適用することが出来る。加えて、記述子はタイムスライスされた受信したエレメンタリーストリームに関する付加的な情報と共にＥＵＴを提供する。提供される上の例は、表１〜５と図１〜５の例で述べられる。
【００７８】
本発明の幾つかの実施例は、図１〜３と５〜８の例で上記で参照される方法を操作する図４のネットワークシステムで実施される。さらに、本発明は、図１〜４と６〜８の上述の例を操作する図５の受信装置で実施される。受信器は、有益にも受信器が省電力原理を適用することが出来るＤＶＢ伝送のそれらの伝送上に焦点を合わせることができる。このように、受信器の作用でかなりの電力減少になり、そしてそれはＤＶＢ受信器のモバイル形態に寄与する。
【００７９】
受信器は、デジタル放送の他の記述子を受信し識別するために使われる相当な手段を適用することによって、ただ規定された記述子を解釈することが出来ることを必要とする。本発明の幾つかの実施例は、ＩＰデータキャスト受信器におけるポータブル受信器を支援し、モバイルハンドヘルド受信器のためにも作用することができる。本実施例の性能は、経済のような意図の利益を押し上げる。
【００８０】
例えば、ＤＶＢ−ｔは配布データに効果的で安い方法を提供し、そして本実施例は、たとえ放送システムに基づいた電力消費の無い運転である場合でも、放送データストリームのための少ない電力消費受信方法を促進する。
【００８１】
本発明の特有の実施と実施例は、述べられた。本発明は上述した実施例の詳細に制限されないが、本発明の特徴から派生しない相当手段を用いて他の実施例において実行され得るのは、当業者には明らかである。本発明の範囲は、添付した特許請求項によってのみ制限される。結果的に、相当なものを含み、請求項によって決定されるような発明を実施する選択できるものは、本発明の範囲にも属する。
【図２】
2010093867.tif 000008
【図３】
2010093867.tif 000009
【図６】
2010093867.tif 000010
【図７】
2010093867.tif 000011
【図８】
2010093867.tif 000012
【図１】
2010093867.tif 000013
【図４】
2010093867.tif 000014
【図５】
2010093867.tif 000015
【手続補正書】
【提出日】平成22年3月1日(2010.3.1)
【手続補正１】
【補正対象書類名】明細書
【補正対象項目名】０００９
【補正方法】変更
【補正の内容】
【０００９】
本発明の一つの形態によれば、受信器における省電力のためのデジタルブロードバンド伝送を受信する方法において、この方法は、最大バースト時間を示す情報を提供し、提供情報に基づいて、受信器内の省電力に適合するように配置される部分を検出し、および、提供情報に基づいて、少なくとも受信器の一部分をオン／オフに切り替える方法が提供される。
【手続補正２】
【補正対象書類名】明細書
【補正対象項目名】００１０
【補正方法】変更
【補正の内容】
【００１０】
本発明の他の形態によれば、受信器における省電力のためのデジタルブロードバンド伝送を伝送する方法において、その方法は、最大バースト時間を示す情報を提供し、および、提供情報に基づいて少なくとも受信器の一部分をオン／オフに切り替えるために、提供情報に基づいて、受信器内の省電力に適合するように配置される部分を分類する方法が提供される。
【手続補正３】
【補正対象書類名】明細書
【補正対象項目名】００１１
【補正方法】変更
【補正の内容】
【００１１】
本発明のさらに他の形態によれば、受信器における省電力のためのデジタルブロードバンド伝送を提供するシステムにおいて、最大バースト時間を示す情報を提供する手段と、提供情報に基づいて受信器内の省電力に適合するように配置される部分を検出する手段と、提供情報に基づいて少なくとも受信器の一部分をオン／オフに切り替える手段とを備えるシステムが提供される。
【手続補正４】
【補正対象書類名】明細書
【補正対象項目名】００１２
【補正方法】変更
【補正の内容】
【００１２】
本発明のさらに他の形態によれば、受信器で省電力のためのデジタルブロードバンド伝送を受信するその受信器において、最大バースト時間を示す情報を受信する手段と、提供情報に基づいて受信器内の省電力に適合するように配置される部分を検出する手段と、受信情報に基づいて少なくとも受信器の一部分をオン／オフに切り替える手段とを備える受信器が提供される。
【手続補正５】
【補正対象書類名】明細書
【補正対象項目名】００１３
【補正方法】変更
【補正の内容】
【００１３】
本発明のさらに他の形態によれば、受信器における省電力のためのデジタルブロードバンド伝送を送信するための送信器は、最大バースト時間を示す情報を提供する手段と、提供情報に従って、少なくとも受信器の一部分をオン／オフに切り替えるために、提供情報に基づいて、受信器内の省電力に適合するように配置される部分を分類する手段とを備える送信器が提供される。
【手続補正６】
【補正対象書類名】明細書
【補正対象項目名】００４４
【補正方法】変更
【補正の内容】
【００４４】
第１ループ内に識別子を加えることによって、識別子はサブテーブル内の全てのＥＳに適用され、それ故、一度だけ必要とされる。有利なのは、ＩＮＴ内にタイムスライス識別子を適用することは、帯域の使用を最適化することである。もし多くのＥＳがタイムスライスされ、（あったとしても）ごく少数のみがタイムスライスされない場合、これは帯域の使用を著しく最適化するだろう。例え、全ＥＳがタイムスライスされる場合でも、ＩＮＴは典型的に他の全てのＰＳＩテーブルよりしばしば少なく再伝送されるので、ＩＮＴに識別子を加えることは、帯域の使用を最適化する。タイムスライス識別ディスクプタのための系統的配列は、表１の例に示されている。
【手続補正７】
【補正対象書類名】明細書
【補正対象項目名】００５２
【補正方法】変更
【補正の内容】
【００５２】
これは、静的なタイムアウト値を備える。有利にも、バーストの最後のデータが幾つかの理由のために失われるなら、この場合、受信器は、それでも休憩（および電力をセーブ）することが可能である。バースト最大期間の情報に基づいて、受信器は受信期間を推定し、たとえバーストが失われるとしてもデータ受信が妨げられないように休憩することが出来る。
【手続補正８】
【補正対象書類名】特許請求の範囲
【補正対象項目名】全文
【補正方法】変更
【補正の内容】
【特許請求の範囲】
【請求項１】
デジタルブロードキャスト伝送をバーストとして受信するステップ、
前記バーストの最大バースト時間を示す情報を提供するステップ、
前記提供情報に基づいて、受信器内の省電力に適合するように構成される部分を検出するステップ、及び、
前記提供情報に基づいて、少なくとも前記受信器の一部分をオン／オフに切り替えるステップ、
を有する方法。
【請求項２】
前記最大バースト時間を示す前記情報は、タイムスライス識別記述子内で通知される、請求項１に記載の方法。
【請求項３】
前記タイムスライス識別記述子は、１以上の番組特定情報または番組配列情報テーブル内で配送される、請求項２に記載の方法。
【請求項４】
前記１以上の番組特定情報または番組配列情報テーブルは、ネットワーク情報テーブル、放送番組マップテーブルおよびＩＰ／ＭＡＣ通知テーブルを有する、請求項３に記載の方法。
【請求項５】
前記バーストの残りが紛失しても、前記最大バースト時間を示す前記情報は、省電力に適用可能である、請求項１に記載の方法。
【請求項６】
前記デジタルブロードキャスト伝送は、マルチキャリア信号伝送を有する、請求項１に記載の方法。
【請求項７】
前記デジタルブロードキャスト伝送は、デジタルビデオブロードキャスティング伝送を有する、請求項１に記載の方法。
【請求項８】
前記デジタルビデオブロードキャスティング伝送は、地上デジタルビデオブロードキャスティング伝送を有する、請求項７に記載の方法。
【請求項９】
前記デジタルブロードキャスト伝送は、ワイヤレスデジタルブロードキャスト伝送を有する、請求項１に記載の方法。
【請求項１０】
前記ワイヤレスデジタルブロードキャスト伝送は、モバイル地上デジタルビデオブロードキャスティング伝送を有する、請求項９に記載の方法。
【請求項１１】
デジタルブロードキャスト伝送をバーストとして送信するステップ、
前記バーストの最大バースト時間を示す情報を提供するステップ、及び、
前記提供情報に従って、少なくとも受信器の一部分をオン／オフに切り替えるために、該提供情報に基づいて、該受信器内の省電力に適合するように構成される部分を分類するステップ、
を有する方法。
【請求項１２】
前記最大バースト時間を示す前記情報は、タイムスライス識別記述子内で通知される、請求項１１に記載の方法。
【請求項１３】
前記タイムスライス識別記述子は、１以上の番組特定情報または番組配列情報テーブルで配送される、請求項１２に記載の方法。
【請求項１４】
前記１以上の番組特定情報または番組配列情報テーブルは、ネットワーク情報テーブル、放送番組マップテーブルおよびＩＰ／ＭＡＣ通知テーブルを有する、請求項１３に記載の方法。
【請求項１５】
請求項１または請求項１１に記載の方法のステップを実行する手段を有するデータ処理システム。
【請求項１６】
請求項１または請求項１１に記載の方法のステップを実行するようになっているコンピュータプログラムがコンピュータ上で実行される場合に、当該コンピュータプログラムコード手段を有するコンピュータプログラム。
【請求項１７】
コンピュータ読取可能媒体上で実施される請求項１６記載のコンピュータプログラム。
【請求項１８】
請求項１または請求項１１に記載の方法を実行するようになっているコンピュータプログラムがコンピュータ上で実行される場合に、当該コンピュータプログラムコードを有するコンピュータ読取可能媒体。
【請求項１９】
請求項１６記載のコンピュータ実行可能プログラムを配送する配送媒体。
【請求項２０】
デジタルブロードキャスト伝送をバーストとして提供する手段と、
前記バーストの最大バースト時間を示す情報を提供する手段と、
前記提供情報に基づいて受信器内の省電力に適合するように構成される部分を検出する手段と、
前記提供情報に基づいて、少なくとも前記受信器の一部分をオン／オフに切り替える手段と、を有するシステム。
【請求項２１】
前記最大バースト時間を示す前記情報は、タイムスライス識別記述子内で通知される、請求項２０に記載のシステム。
【請求項２２】
前記タイムスライス識別記述子は、１以上の番組特定情報または番組配列情報テーブルで配送される、請求項２１に記載のシステム。
【請求項２３】
前記１以上の番組特定情報または番組配列情報テーブルは、ネットワーク情報テーブル、放送番組マップテーブルおよびＩＰ／ＭＡＣ通知テーブルを有する、請求項２２に記載のシステム。
【請求項２４】
デジタルブロードキャスト伝送をバーストとして受信する手段と、
前記バーストの最大バースト時間を示す情報を受信する手段と、
前記受信情報に基づいて受信器内の省電力に適合するように構成される部分を検出する手段と、
前記受信情報に基づいて、少なくとも前記受信器の一部分をオン／オフに切り替える手段と、を有する受信器。
【請求項２５】
前記最大バースト時間を示す情報は、タイムスライス識別記述子内で通知される、請求項２４に記載の受信器。
【請求項２６】
前記タイムスライス識別記述子は、１以上の番組特定情報または番組配列情報テーブルで配送される、請求項２５に記載の受信器。
【請求項２７】
前記１以上の番組特定情報または番組配列情報テーブルは、ネットワーク情報テーブル、放送番組マップテーブルおよびＩＰ／ＭＡＣ通知テーブルを有する、請求項２６に記載の受信器。
【請求項２８】
前記受信器は、さらに、モバイル地上デジタルビデオブロードキャスティング受信器を有する、請求項２４に記載の受信器。
【請求項２９】
前記バーストの残りが紛失しても、前記最大バースト時間を示す前記情報は省電力に適用される、請求項２８に記載の受信器。
【請求項３０】
前記受信器は、さらに、前記デジタルブロードキャスト伝送とのインタラクションのためのモバイルステーションを有する、請求項２８に記載の受信器。
【請求項３１】
デジタルブロードキャスト伝送をバーストとして送信する手段と、
前記バーストの最大バースト時間を示す情報を提供する手段と、
前記提供情報に従って、少なくとも受信器の一部分をオン／オフに切り替えるために、該提供情報に基づいて、該受信器内の省電力に適合するように構成される部分を分類する手段と、
を有する送信器。
【請求項３２】
前記最大バースト時間を示す前記情報は、タイムスライス識別記述子内で通知される、請求項３１に記載の送信器。
【請求項３３】
前記タイムスライス識別記述子は、１以上の番組特定情報または番組配列情報テーブルで配送される、請求項３２に記載の送信器。
【請求項３４】
前記１以上の番組特定情報または番組配列情報テーブルは、ネットワーク情報テーブル、放送番組マップテーブルおよびＩＰ／ＭＡＣ通知テーブルを有する、請求項３３に記載の送信器。